(57)【要約】      （修正有）【課題】高変倍比化した際に変倍域の途中にて発生しやすい画面周辺の収差を抑えやすくすることで、小型化もしくは高変倍比化に有利なズームレンズ、及び、それを備えた撮像装置を提供する。【解決手段】物体側から順に、広角端にて負の屈折力を持つ前側レンズ群と、広角端にて正の屈折力を持つ後側レンズ群を有し、前側レンズ群は、物体側から順に、正、負の屈折力の第１レンズ群と、第２レンズ群とからなり、後側レンズ群は、物体側から順に、正、負の屈折力の第３レンズ群と、の第４レンズ群とからなり、第２レンズ群中の最も像側のレンズ面から第３レンズ群中の最も像側のレンズ面までの間に明るさ絞りを有し、変倍の際に、第１レンズ群と第２レンズ群との距離を広げ、第２レンズ群と第３レンズ群との距離を狭め、第３レンズ群と第４レンズ群との距離を変化させ、変倍の途中の状態で明るさ絞りを開放したときのＦｎｏが最も大きくなる。【選択図】図１
2009163102.tif 000002
【特許請求の範囲】
【請求項１】
物体側から順に、広角端にて負の屈折力を持つ前側レンズ群と、前記広角端にて正の屈折力を持つ後側レンズ群を有し、
前記前側レンズ群は、物体側から順に、正屈折力の第１レンズ群と、負屈折力の第２レンズ群とからなり、
前記後側レンズ群は、物体側から順に、正屈折力の第３レンズ群と、正屈折力の第４レンズ群とからなり、前記第２レンズ群中の最も像側のレンズ面から前記第３レンズ群中の最も像側のレンズ面までの間に明るさ絞りを有し、
前記広角端から前記望遠端への変倍の際に、前記第１レンズ群と前記第２レンズ群との距離を広げ、前記第２レンズ群と前記第３レンズ群との距離を狭め、前記第３レンズ群と前記第４レンズ群との距離を変化させ、前記広角端から前記望遠端への変倍の途中の状態で明るさ絞りを開放したときのＦナンバーが最も大きくなることを特徴とするズームレンズ。
【請求項２】
前記広角端より前記望遠端の方が前記第１レンズ群と像面との距離が大きくなるように、前記第１レンズ群と像面との距離が変化し、かつ下記条件式（１）を満足することを特徴とする請求項１に記載のズームレンズ。
０．０１＜〔Ｆｎｏ（ｔ）／Ｆｎｏ（ｗ）〕／（ｆｔ／ｆｗ）＜０．３０
・・・（１）
１．０１３＜Ｆｎｏ（ｍ）／Ｆｎｏ（ｔ）＜１．２                  ・・・（２）
ただし、Ｆｎｏ（ｗ）は、前記広角端におけるＦナンバー、
Ｆｎｏ（ｔ）は、前記望遠端におけるＦナンバー、
Ｆｎｏ（ｍ）は、最もＦナンバーが大きくなるズーム位置でのＦナンバー、
ｆｗは、前記広角端におけるズームレンズ全系の焦点距離、
ｆｔは、前記望遠端におけるズームレンズ全系の焦点距離、
である。
【請求項３】
前記第１レンズ群は、１枚の負レンズと１枚の正レンズからなることを特徴とする請求項１又は請求項２に記載のズームレンズ。
【請求項４】
前記明るさ絞りの開放時の大きさがズーム全域において一定であることを特徴とする請求項１乃至請求項３のいずれかに記載のズームレンズ。
【請求項５】
以下の条件式（３）を満足することを特徴とする請求項１乃至請求項４のいずれかに記載のズームレンズ。
０．５＜Ｌｔ／ｆｔ＜１．４                                      ・・・（３）
ただし、Ｌｔは、前記望遠端における前記第１レンズ群の最物体側面から像面までの光軸上の実距離、
ｆｔは、前記望遠端におけるズームレンズ全系の焦点距離、
である。
【請求項６】
前記ズームレンズが４群ズームレンズであることを特徴とする請求項１乃至請求項５のいずれかに記載のズームレンズ。
【請求項７】
前記第４レンズ群が下記条件を満足することを特徴とする請求項１乃至請求項６のいずれかに記載のズームレンズ。
０．５＜ｆ１／ｆ４＜３．５                                      ・・・（４）
ただし、ｆ１は、前記第１レンズ群の焦点距離、
ｆ４は、前記第４レンズ群の焦点距離、
である。
【請求項８】
前記第２レンズ群は、前記広角端から前記望遠端への変倍の途中にて像面との距離が最も大きくなるように移動し、
前記第３レンズ群は、前記広角端から前記望遠端への変倍の途中にて像面との距離が最も大きくなり、且つ、前記広角端よりも前記望遠端にて像面との距離が大きくなるように移動し、
前記明るさ絞りは、前記広角端から前記望遠端への変倍の途中にて像面との距離が最も大きくなり、且つ、前記広角端よりも前記望遠端で像面との距離が大きくなるように移動し、
前記第３レンズ群と像面との距離が最も大きくなるときの状態を中間ズーム状態と定義したとき、
前記第１レンズ群は広角端よりも前記中間ズーム状態で物体側に位置し、
前記明るさ絞りは広角端よりも前記中間ズーム状態で物体側に位置することを特徴とする請求項１乃至請求項７のいずれかに記載のズームレンズ。
【請求項９】
以下の条件式（５）を満足することを特徴とする請求項８に記載のズームレンズ。
１．２＜ｆ３／｜ｆ２｜＜２．５                                  ・・・（５）
ただし、ｆ３は、前記第３レンズ群の焦点距離、
ｆ２は、前記第２レンズ群の焦点距離、
である。
【請求項１０】
前記第１レンズ群が以下の条件式（６）を満足して移動することを特徴とする請求項８又は請求項９に記載のズームレンズ。
０．５５＜（Ｔ１ｍ−Ｔ１ｗ）／（Ｔ１ｔ−Ｔ１ｗ）＜１．３        ・・・（６）
ただし、Ｔ１ｗは前記広角端における前記第１レンズ群の最も物体側のレンズ面から前記像面までの光軸上の実距離、
Ｔ１ｍは前記中間ズーム状態における前記第１レンズ群の最も物体側のレンズ面から前記像面までの光軸上の実距離、
Ｔ１ｔは前記望遠端における前記第１レンズ群の最も物体側のレンズ面から前記像面までの光軸上の実距離、
である。
【請求項１１】
前記第２レンズ群は前記広角端よりも前記望遠端にて像面との距離が小さくなるように移動することを特徴とする請求項８乃至請求項１０のいずれかに記載のズームレンズ。
【請求項１２】
前記第２レンズ群が前記広角端から前記望遠端への変倍の際にまず物体側に移動することを特徴とする請求項８乃至請求項１１のいずれかに記載のズームレンズ。
【請求項１３】
前記第３レンズ群が以下の条件式（７）を満足して移動することを特徴とする請求項８乃至請求項１２のいずれかに記載のズームレンズ。
１．０＜（Ｔ３ｍ−Ｔ３ｗ）／（Ｔ３ｔ−Ｔ３ｗ）＜１．５          ・・・（７）
ただし、Ｔ３ｗは前記広角端における前記第３レンズ群の最も物体側のレンズ面から前記像面までの光軸上の実距離、
Ｔ３ｍは前記中間ズーム状態における前記第３レンズ群の最も物体側のレンズ面から前記像面までの光軸上の実距離、
Ｔ３ｔは前記望遠端における前記第３レンズ群の最も物体側のレンズ面から前記像面までの光軸上の実距離
である。
【請求項１４】
以下の条件式（８）を満足することを特徴とする請求項８乃至請求項１３のいずれかに記載のズームレンズ。
０．３＜ｆｍ／ｆｔ＜０．９                                    ・・・（８）
ただし、ｆｍは前記中間ズーム状態におけるズームレンズ全系の焦点距離、
ｆｔは前記望遠端におけるズームレンズ全系の焦点距離、
である。
【請求項１５】
前記第４レンズ群は、前記広角端に対して前記望遠端にて像面側に位置することを特徴とする請求項８乃至請求項１４のいずれかに記載のズームレンズ。
【請求項１６】
前記第２レンズ群は、前記第２レンズ群中で最も像側に配置された両凹負レンズと前記両凹レンズよりも像側に配置された正レンズを有することを特徴とする請求項１乃至請求項１５のいずれかに記載のズームレンズ。
【請求項１７】
前記第３レンズ群は、物体側より順に、正屈折力の単レンズ、負屈折力の接合ダブレットレンズを有し、
前記接合ダブレットレンズは物体側から順に正レンズと負レンズを有することを特徴とする請求項１乃至請求項１５のいずれかに記載のズームレンズ。
【請求項１８】
ズームレンズと、
その像側に配置され且つ前記ズームレンズにより形成される像を電気信号に変換する撮像素子を有し、
前記ズームレンズが請求項１乃至請求項１７のいずれかに記載のズームレンズであることを特徴とする撮像装置。
【請求項１９】
前記電気信号に含まれる収差を補正する信号処理を行う画像処理部を有することを特徴とする請求項１８記載の撮像装置。
【発明の詳細な説明】
【技術分野】
【０００１】
本発明は、ズームレンズに関するものである。また、それを用いた撮像装置に関するものである。特に、ＣＣＤやＣ−ＭＯＳ等の電子撮像素子に対応した高変倍ズームレンズ及び、それを用いた撮像装置に関するものである。
【背景技術】
【０００２】
近年では、銀塩フィルムカメラに代わり、ＣＣＤやＣＭＯＳのような固体撮像素子を用いて被写体を撮影するようにしたデジタルカメラが主流となっている。更にそれは業務用の高機能タイプからコンパクトな普及タイプまで幅広い範囲でいくつものカテゴリーを有するようになってきている。
【０００３】
普及タイプのデジタルカメラのユーザーは、いつでもどこでも手軽に様々なシーンで撮影を楽しみたいという要望を持っている。そのため、小型なデジタルカメラが好まれるようになっている。
【０００４】
一方、コンパクトタイプのデジタルカメラの変倍比は３倍程度が一般的であったが、更に撮影領域を広げるために従来よりも広角側、もしくは望遠側、もしくはその両方の大きい変倍比をもつズームレンズが求められている。
【０００５】
高変倍比を得やすいズームレンズのタイプとして、物体側から順に正屈折力の第１レンズ群、負屈折力の第２レンズ群、正屈折力の第３レンズ群を有する３群以上の構成のズームレンズが知られている。例えば、約４．５倍の変倍比をもつズームレンズとして以下の特許文献１〜３のものが知られている。また、更に変倍比が大きく10倍程度のものとして、以下の特許文献４のものが知られている。
【０００６】
【特許文献１】特開２００５−２４２１１６号公報
【特許文献２】特開２００５−３２６７４３号公報
【特許文献３】特開２００６−７８９７９号公報
【特許文献４】特開２００６−１７１０５５号公報
【発明の開示】
【発明が解決しようとする課題】
【０００７】
しかしながら、特許文献１〜３のものは、望遠端での画角が大きく、高倍率のニーズに対しては性能が不足している。特許文献４のものは、変倍比は十分大きいが、望遠側で光学系全体の全長が長い。
【０００８】
一般に、これらの物体側から順に、正屈折力、負屈折力、正屈折力のレンズ群を有するズームレンズで、高変倍比化をしようとすると、望遠端における全長が長くなりやすくなる。沈胴時の厚みを薄くするには、各レンズ群の厚さを薄くすると同時に望遠端における全長を小さくし、レンズ群を駆動する鏡枠の高さ（光軸方向の長さ）を抑える必要がある。
【０００９】
一方、望遠端における全長を小さくしていくと、各レンズ群の屈折力が大きくなりやすく、諸収差、特に画面周辺の光線束による収差が大きく発生しやすくなり、ズーム全域で周辺性能を良好に補正することが難しくなる。
【００１０】
本発明は従来技術のこのような課題に鑑みてなされたものであり、その目的は、高変倍比化した際に変倍域の途中にて発生しやすい画面周辺の収差を抑えやすくすることで、小型化もしくは高変倍比化に有利なズームレンズ、及び、それを備えた撮像装置を提供することである。
【課題を解決するための手段】
【００１１】
上記課題を解決するために、本発明では、物体側から順に、広角端にて負の屈折力を持つ前側レンズ群と、前記広角端にて正の屈折力を持つ後側レンズ群を有し、前記前側レンズ群は、物体側から順に、正屈折力の第１レンズ群と、負屈折力の第２レンズ群とからなり、前記後側レンズ群は、物体側から順に、正屈折力の第３レンズ群と、正屈折力をもつ第４レンズ群からなり、前記第２レンズ群中の最も像側のレンズ面から前記第３レンズ群中の最も像側のレンズ面までの間に明るさ絞りを有し、前記広角端から前記望遠端への変倍の際に、前記第１レンズ群と前記第２レンズ群との距離を広げ、前記第２レンズ群と前記第３レンズ群との距離を狭め、前記第３レンズ群と前記第４レンズ群との距離を変化させ、前記広角端から前記望遠端への変倍の途中の状態で明るさ絞りを開放したときのＦｎｏが最も大きくなることが望ましい。
【００１２】
広角端にて、前側レンズ群と後側レンズ群はレトロフォーカスタイプのレンズ配置となり、広角化に有利な構成となる。
【００１３】
また、第１レンズ群と第２レンズ群との距離、第２レンズ群と第３レンズ群との距離を上述のように変化させることで第２レンズ群、第３レンズ群への変倍機能を確保し、高変倍比化に有利となる。また、正屈折力を持つ第４レンズ群と第３レンズ群との距離を変化させることで、変倍時の像面湾曲の低減もしくは更なる高変倍比化に有利となる。
【００１４】
明るさ絞りは、上述の位置に配置することが好ましい。
【００１５】
一般に、奇数次に比例する収差、すなわち、歪曲収差、倍率色収差、コマ収差は、明るさ絞りをはさんで前後に対称的な屈折力配置とすることで良好な補正が可能になるが、明るさ絞りの位置を第２レンズ群像側から第３レンズ群像側の間に配置することにより、これら奇数次に比例する収差と、非点収差、像面湾曲の量を良好にバランスさせやすくなる。
【００１６】
このようなレンズタイプにて、従来のように、変倍域にて開放時Ｆナンバーが望遠端で最も大きくなる場合、変倍の途中などで、第１レンズ群を通る軸外光線の高さ（光軸からの距離）に対する第４レンズ群を通る軸外光線の高さが小さくなりやすく、明るさ絞り前後の対称性が大きく崩れてしまう。そのため、広角端から望遠端への途中でコマ収差、歪曲収差、倍率の色収差が発生し、補正が困難になる。換言すると、変倍途中にて、第１レンズ群を通る光線高が高くなり上記収差が発生しやすく、一方、第４レンズ群を含む後群を通る光線高が低くなってしまい、第１レンズ群で発生した上記諸収差を補正しきれなくなってしまう。
【００１７】
そこで、本発明では、第１レンズ群と第４レンズ群との光線入射高のバランスが崩れやすい変倍途中の状態の明るさ絞り、諸レンズ群の配置にてＦナンバーが最も大きくなるようにし、第１レンズ群の軸外光線高が高くなりすぎないようにすることで、第１レンズ群の小型化、並びに、変倍途中における収差変動を低減しやすくなる。
【００１８】
また、広角端から望遠端への変倍途中にてＦナンバーを大きくすることで、光束径を制限し、変倍途中で発生しやすい軸外コマ収差の高次収差によるフレア成分を低減しやすくなり、高性能化に有利となる。
【００１９】
さらに、前記広角端より前記望遠端の方が前記第１レンズ群と像面との距離が大きくなるように、第１レンズ群と像面との距離が変化し、かつ下記条件式（１）及び条件式（２）を満足することが望ましい。
０．０１＜〔Ｆｎｏ（ｔ）／Ｆｎｏ（ｗ）〕／（ｆｔ／ｆｗ）＜０．３０
・・・（１）
１．０１３＜Ｆｎｏ（ｍ）／Ｆｎｏ（ｔ）＜１．２                ・・・（２）
ただし、Ｆｎｏ（ｗ）は、前記広角端におけるＦナンバー、
Ｆｎｏ（ｔ）は、前記望遠端におけるＦナンバー、
Ｆｎｏ（ｍ）は、最もＦナンバーが大きくなるズーム位置でのＦナンバー、
ｆｗは、前記広角端におけるズームレンズ全系の焦点距離、
ｆｔは、前記望遠端におけるズームレンズ全系の焦点距離、
である。なお、明るさ絞りの開口サイズが可変のときは、上述の各Ｆナンバーはそれぞれのズーム状態における最小値とする。
【００２０】
第１レンズ群と像面との関係を上述のようにすることで広角端でのズームレンズ全長を小さくでき、小型、小径化に有利となる。また、第２レンズ群による変倍比の確保にも有利となる。
【００２１】
また、条件式（１）、（２）を満足することが好ましい。
【００２２】
条件式（１）は望遠端と広角端のＦナンバーの比をズーム倍率で除したもので、望遠端と広角端の主平面上における軸上光線束の径の比となる。条件式（１）の下限の０．０１を下回らないようにすることで、望遠端での主平面上での軸上光線束の径の大型化を防ぎ、良好な光学性能の確保に有利となる。条件式（１）の上限の０．３０を下回らないようにすることで、変倍比の確保に有利となる。
【００２３】
条件式（２）は、最もＦナンバーが大きくなるズーム位置でのＦナンバーと、望遠端でのＦナンバーの比をとったものである。条件式（２）の下限の１．０１３を下回らないようにすることで、変倍途中の収差の変動の低減に有利となる。条件式（２）の上限の１．２を上回らないようにすることで、最もＦナンバーが大きくなるズーム状態のズームレンズ全長と望遠端でのズームレンズ全長の差を低減でき、望遠端での小型化に有利となる。
【００２４】
条件式（１）について、以下の範囲にするとより良い。下限値を０．０５、更には０．１０とすることが好ましい。上限値を０．２５、更には０．２０とすることが好ましい。
【００２５】
条件式（２）について、以下の範囲にするとより良い。下限値を１．０１５、更には１．０２、更には１．０３とすることが好ましい。上限値を１．１５、更には１．１０とすることが好ましい。
【００２６】
また、第１レンズ群は１枚の負レンズと１枚の正レンズからなることが望ましい。
【００２７】
本発明は、第１レンズ群の光線の入射高さを抑えやすくなり、軸外収差の補正に有利となる。そこで、上述の構成とし、第１レンズ群で発生しやすい色収差をキャンセルするための最小限のレンズ枚数とし、小型化と高性能化を両立させることが好ましい。
【００２８】
また、前記明るさ絞りの開放時の大きさがズーム全域において一定であることが望ましい。
【００２９】
開放時の明るさ絞りの開口形状を常に略円形とできるのでフレア等の低減に有利となる。
【００３０】
また、下記条件式（３）を満足することが望ましい。
０．５＜Ｌｔ／ｆｔ＜１．４                                    ・・・（３）
ただし、Ｌｔは、前記望遠端における前記第１レンズ群の最物体側面から像面までの光軸上の実距離、
ｆｔは、前記望遠端におけるズームレンズ全系の焦点距離
である。
【００３１】
条件式（３）は、望遠端におけるズームレンズ全長と焦点距離との好ましい比をあらわしている。条件式（３）の下限の０．５を下回らないようにすることで、望遠端における焦点距離を適度に抑え、光学性能の維持に有利なる。条件式（３）の上限の１．４を上回らないようにすることで、焦点距離に対する全長を抑え、小型化に有利となる。また、上限の１．４を上回ると、本発明の主旨である小型化が達成できなくなる。
【００３２】
条件式（３）について、以下の範囲にするとより良い。下限値を０．７、更には０．８とすることが好ましい。上限値を１．３、更には１．２５とすることが好ましい。
【００３３】
また、前記ズームレンズが４群ズームレンズであることが望ましい。
【００３４】
本発明は、屈折力が物体側から順に正負正負正のレンズ群配置、正負正正負のレンズ群配置などが取りうるが、正負正正のレンズ群配置の４群ズームレンズとすることで構成を簡略にでき、レンズを沈胴収納する場合の小型化や、コスト低減に有利となる。
【００３５】
また、前記第４レンズ群が下記条件式（４）を満足することが望ましい。
０．５＜ｆ１／ｆ４＜３．５                                    ・・・（４）
ただし、ｆ１は、前記第１レンズ群の焦点距離、
ｆ４は、前記第４レンズ群の焦点距離、
である。
【００３６】
条件式（４）は、第１レンズ群の屈折力と第４レンズ群の屈折力との好ましい比を特定するものである。条件式（４）の下限の０．５を下回らないように、第４レンズ群の屈折力に対する第１レンズ群の屈折力が強くなりすぎないようにすることで、第１レンズ群で発生するコマ収差、歪曲収差、倍率の色収差の発生を補正し易くなる。条件式（４）の上限の３．５を上回らないように、第１レンズ群の屈折力に対する第４レンズ群の屈折力が強くなりすぎないようにすることで、コマ収差、歪曲収差、倍率の色収差の補正過剰を低減しやすくなる。すなわち、下限と上限の間の焦点距離比とすることで、明るさ絞りをはさむ前後のレンズ系の屈折力配置のバランスを良好にでき、収差補正を行いやすくなる。
【００３７】
条件式（４）について、以下の範囲にするとより良い。下限値を１．０、更には１．５、更には１．９とすることが好ましい。上限値を３．０、更には２．５とすることが好ましい。
【００３８】
また、前記第２レンズ群は、前記広角端から前記望遠端への変倍の途中にて像面との距離が最も大きくなるように移動し、前記第３レンズ群は、前記広角端から前記望遠端への変倍の途中にて像面との距離が最も大きくなり、且つ、前記広角端よりも前記望遠端にて像面との距離が大きくなるように移動し、前記明るさ絞りは、前記広角端から前記望遠端への変倍の途中にて像面との距離が最も大きくなり、且つ、前記広角端よりも前記望遠端で像面との距離が大きくなるように移動し、前記第３レンズ群と像面との距離が最も大きくなるときの状態を中間ズーム状態と定義したとき、前記第１レンズ群は広角端よりも前記中間ズーム状態で物体側に位置し、前記明るさ絞りは広角端よりも前記中間ズーム状態で物体側に位置することが望ましい。
【００３９】
このような構成とすることで、各レンズ群に変倍負担を分担させることができ、どれか一つのレンズ群の変倍作用が極端に大きくなることを抑えることで、変倍中のレンズ群の移動量の低減に有利となる。明るさ絞りも第３レンズ群と同様に物体側に凸の軌跡を含んで移動させることで、射出瞳を像面から離し、変倍中のテレセントリック性を良好としながら変倍域の確保を行いやすくなる。
【００４０】
また、明るさ絞りが第３レンズ群付近に位置することになり、上述のように明るさ絞りを第３レンズ群の移動軌跡に近似又は一致させることで第３レンズ群の小型化にも有利となる。
【００４１】
そして、第３レンズ群が最も物体側に位置する中間ズーム状態にて第１レンズ群が広角端での位置よりも物体側に位置するようにすると、広角端での全長の短縮化や径方向の小型化を行いつつ、第２レンズ群と第３レンズ群に変倍負担を分担でき、収差の低減にも有利となる。
【００４２】
また、明るさ絞りも第２レンズ群に近づくので第１、第２レンズ群における光線入射高を抑えやすくなり小径化や軸外諸収差の補正に有利となる。
【００４３】
そして、望遠端付近では、第１レンズ群と第２レンズ群との間隔変化による変倍機能を確保しつつもズームレンズ全長の過度な増加を抑えるために、第２レンズ群を像側に移動させて増倍を行う。このとき、明るさ絞りと第３レンズ群が望遠端付近で像側に移動するようにすることで、第２レンズ群が像側へ移動するスペースを確保し、全長の増大を抑えつつ高変倍比化に有利となる。
【００４４】
さらに、以下の条件式（５）を満足することが望ましい。
１．２＜ｆ３／｜ｆ２｜＜２．５                                ・・・（５）
ただし、ｆ３は、前記第３レンズ群の焦点距離、
ｆ２は、前記第２レンズ群の焦点距離
である。
【００４５】
第２レンズ群の変倍負担の確保を良好とするために、第３レンズ群の屈折力よりも第２レンズ群の屈折力の絶対値を大きくすることが好ましい。
【００４６】
条件式（５）は、第２レンズ群と第３レンズ群とのより好ましい屈折力配分を特定するものである。条件式（５）の下限の１．２を下回らないようにすることで第２レンズ群の屈折力を確保し、第２レンズ群の像側への移動による望遠端付近での変倍比の確保に有利となる。もしくは、第３レンズ群の屈折力を抑え、第３レンズ群での球面収差等の低減に有利となる。条件式（５）の上限の２．５を上回らないようにすることで第３レンズ群の屈折力を確保し、第２レンズ群の変倍負担が過度になることを抑え、第２レンズ群で発生する収差変動の低減に有利となる。
【００４７】
以下の範囲にするとより良い。条件式（５）について下限値を１．３更には１．４とすることが好ましい。上限値を２．０、更には１．８とすることが好ましい。
【００４８】
また、前記第１レンズ群が下記条件式（６）を満足して移動することが望ましい。
０．５５＜（Ｔ１ｍ−Ｔ１ｗ）／（Ｔ１ｔ−Ｔ１ｗ）＜１．３      ・・・（６）
ただし、Ｔ１ｗは、前記広角端における前記第１レンズ群の最も物体側のレンズ面から前記像面までの光軸上の実距離、
Ｔ１ｍは、前記中間ズーム状態における前記第１レンズ群の最も物体側のレンズ面から前記像面までの光軸上の実距離、
Ｔ１ｔは、前記望遠端における前記第１レンズ群の最も物体側のレンズ面から前記像面までの光軸上の実距離、
である。
【００４９】
条件式（６）は、第１レンズ群の広角端から中間ズーム状態までの移動量と、広角端から望遠端までの移動量の好ましい関係を特定するものである。条件式（６）の下限の０．５５を下回らないようにすることで、中間ズーム状態付近で第１レンズ群が物体側よりになることを抑え、第３レンズ群の移動量の低減に有利となる。条件式（６）の上限の１．３を上回らないようにすることで、望遠端にて第１レンズ群が像側よりになることを抑え、変倍比の確保と変倍時のズームレンズの最大全長の短縮化に有利となる。
【００５０】
また、前記第２レンズ群は前記広角端よりも前記望遠端にて像面との距離が小さくなるように移動することが望ましい。
【００５１】
第２レンズ群の変倍機能の確保に有利となり、第１、第３レンズ群の移動量も抑えやすくなり、沈胴時の薄型化にも有利となる。
【００５２】
また、前記第２レンズ群が前記広角端から前記望遠端への変倍の際にまず物体側に移動することが望ましい。
【００５３】
広角端での全長を小さくでき、広角端付近における第１、第２レンズ群の有効径の小型化に有利となる。
【００５４】
また、前記第３レンズ群が以下の条件式（７）を満足して移動することが望ましい。
１．０＜（Ｔ３ｍ−Ｔ３ｗ）／（Ｔ３ｔ−Ｔ３ｗ）＜１．５        ・・・（７）
ただし、Ｔ３ｗは、前記広角端における前記第３レンズ群の最も物体側のレンズ面から前記像面までの光軸上の実距離、
Ｔ３ｍは、前記中間ズーム状態における前記第３レンズ群の最も物体側のレンズ面から前記像面までの光軸上の実距離、
Ｔ３ｔは、前記望遠端における前記第３レンズ群の最も物体側のレンズ面から前記像面までの光軸上の実距離、
である。
【００５５】
条件式（７）は、第３レンズ群の広角端から中間ズーム状態までの移動量と、広角端から望遠端までの移動量の好ましい関係を特定するものである。条件式（７）の下限の１．０を下回らないようにすることで、第２レンズ群の望遠側での増倍作用の確保に有利となる。条件式（７）の上限の１．５を上回らないようにすることで、望遠端にて第３レンズ群が像側よりになることを抑え、第２レンズ群の変倍負担を抑え、収差変動を抑えやすくなる。
【００５６】
また、以下の条件式（８）を満足することが望ましい。
０．３＜ｆｍ／ｆｔ＜０．９                                    ・・・（８）
ただし、ｆｍは、前記中間ズーム状態におけるズームレンズ全系の焦点距離、
ｆｔは、前記望遠端におけるズームレンズ全系の焦点距離
である。
【００５７】
条件式（８）は、第３レンズ群が最も物体側に位置するときの好ましい変倍状況を特定するものである。条件式（８）の下限の０．３を下回らないようにすることで、広角端から望遠端へのズーム全域に渡って第２レンズ群の変倍負担が大きくなりすぎることを避けられ、収差変動の抑制に有利となる。条件式（８）の上限の０．９を上回らないようにすることでズーム全域に渡って第３レンズ群の変倍負担が大きくなりすぎることを避けられ、収差変動の抑制に有利となる。
【００５８】
また、前記第４レンズ群は、前記広角端に対して前記望遠端にて像面側に位置することが望ましい。
【００５９】
第４レンズ群にも増倍作用を負担させることができ収差変動の補正と高変倍比化に有利となる。
【００６０】
また、前記第２レンズ群は前記第２レンズ群中で最も像側に配置された両凹負レンズと前記両凹レンズよりも像側に配置された正レンズを有することが望ましい。
【００６１】
第２レンズ群をこのような構成とすることで、入射瞳位置を物体側へ寄せることができ、第１レンズ群と第２レンズ群の外径を小型化しつつ、周辺性能を良好に補正することができる。
【００６２】
また、前記第３レンズ群は、物体側より順に、正屈折力の単レンズ、負屈折力の接合ダブレットレンズを有し、前記接合ダブレットレンズは物体側から順に正レンズと負レンズを有することが望ましい。
【００６３】
第３レンズ群をこのような構成にすることで、第３レンズ群のレンズ径の小型化と、球面収差、コマ収差の補正に有利である。また、第３レンズ群の主点を物体よりにでき、高変倍比化に有利となる。
【００６４】
さらに、前記ズームレンズと、その像側に配置され且つ前記ズームレンズにより形成される像を電気信号に変換する撮像素子を有する撮像装置であることが望ましい。
【００６５】
小型でありながら高変倍比のズームレンズを持つ撮像装置を提供できる。
【００６６】
また、前記電気信号に含まれる収差を補正する信号処理を行う画像処理部を有することが望ましい。
【００６７】
ズームレンズの収差を許容することで高性能化、一層の小型化等に有利となる。
【００６８】
なお、ズームレンズがフォーカシング機能を有する場合は、ズームレンズが最も遠距離の被写体に合焦した状態における状態でのレンズ群移動、条件式を特定するものとする。
【００６９】
遠距離物から近距離物へのフォーカシングは第１レンズ群の繰り出しや、ズームレンズ全体の繰り出し、第２レンズ群、第３レンズ群の移動などで行ってもよい。駆動の負担を低減しやすくするには、正屈折力の第４レンズ群でフォーカシングを行うことが好ましい。
【発明の効果】
【００７０】
以上の説明から明らかなように、本発明によれば、変倍域の途中にて発生しやすい画面周辺の収差を抑えやすく、小型化もしくは高変倍比化に有利なズームレンズ、及び、それを備えた撮像装置を提供できる。
【発明を実施するための最良の形態】
【００７１】
以下に示す本発明に基づくいずれの実施形態も、上述のような工夫を施すことで、高変倍比をもち、径方向も小型で、光学性能も良好なズームレンズを提供している。
【００７２】
以下に示す各実施例は、撮像装置の立ち上げ時にレンズが繰り出すタイプのズームレンズおよびそれを備えた撮像装置の例である。実施例１〜３においては、高い光学性能を持ち、かつ、コンパクト性に優れたズームレンズとなっている。実施例１〜３は全ズーム状態にて有効撮像領域は矩形で一定である。各実施形態での条件式対応値は無限遠物点に合焦した状態での値である。全長は、レンズの入射面から射出面までの光軸上の距離にバックフォーカスを加えたものである。バックフォーカスは、空気換算長で示している。
【００７３】
以下、本発明のズームレンズの実施例１〜３について説明する。実施例１〜３の（ａ）無限遠物点合焦時の広角端ｗ、（ｂ）広角側状態、（ｃ）中間焦点距離状態、（ｄ）中間ズーム状態ｍ（第３レンズ群が最も物体側に位置する状態）、（ｅ）望遠端ｔでのレンズ断面図をそれぞれ図１〜図３に示す。
【００７４】
各図中、第１レンズ群はＧ１、第２レンズ群はＧ２、明るさ絞りとしての開口絞りはＳ、第３レンズ群はＧ３、第４レンズ群はＧ４、光学的ローパスフィルターはＦ、電子撮像素子であるＣＣＤのカバーガラスはＣ、ＣＣＤの像面はＩで示してある。なお、近赤外シャープカットコートについては、例えば光学的ローパスフィルターＦに直接コートを施こしてもよく、また、別に赤外カット吸収フィルターを配置してもよい。
【００７５】
なお、中間ズーム状態にて、Ｆｎｏは最も大きくなる。また、開口絞りＳは、ズーミングによらず開口を一定の円形とする。フォーカシングは、第４レンズ群Ｇ４の移動で行い、遠距離物点から近距離物点への合焦動作は第４レンズ群Ｇ４を物体側に移動させて行う。
【００７６】
実施例１のズームレンズは、図１に示すように、物体側から順に、正屈折力の第１レンズ群Ｇ１、開口絞りＳ、負屈折力の第２レンズ群Ｇ２、正屈折力の第３レンズ群Ｇ３、正屈折力の第４レンズ群Ｇ４から構成されている。
【００７７】
広角端から望遠端への変倍をする際の移動状態を以下に示す。ここで、広角端から中間焦点距離状態までの間の状態を広角側状態とした。以下、同じ。
【００７８】
第１レンズ群Ｇ１は、広角端から望遠端まで物体側へ移動する。
【００７９】
第２レンズ群Ｇ２は、広角端から中間ズーム状態まで、第１レンズ群Ｇ１との間隔を広げ、第３レンズ群Ｇ３との間隔を狭めながら、物体側へ移動し、中間ズーム状態から望遠端まで、第１レンズ群Ｇ１との間隔を広げ、第３レンズ群Ｇ３との間隔を狭めながら、像側へ移動し、広角端から望遠端まで物体側に凸の軌跡を描いて移動する。望遠端では、広角端の位置より像側に位置する。
【００８０】
開口絞りＳと第３レンズ群Ｇ３は、広角端から中間ズーム状態まで、第２レンズ群Ｇ２との間隔を狭め、第４レンズ群Ｇ４との間隔を広げながら、一体に物体側へ移動し、中間ズーム状態から望遠端まで、第２レンズ群Ｇ２との間隔を狭め、第４レンズ群Ｇ４との間隔を狭めながら、一体に像側へ移動し、広角端から望遠端まで物体側に凸の軌跡を描いて移動する。望遠端では、中間焦点距離状態の位置より物体側に位置する。
【００８１】
第４レンズ群Ｇ４は、広角端から中間焦点距離状態まで、第３レンズ群Ｇ３との間隔を広げながら、像側へ移動し、中間焦点距離状態から中間ズーム状態まで、第３レンズ群Ｇ３との間隔を広げながら、物体側へ移動し、中間ズーム状態から望遠端まで、第３レンズ群Ｇ３との間隔を狭めながら、物体側へ移動し、広角端から望遠端まで像側に凸の軌跡を描いて移動する。望遠端では、広角側状態の位置より像側に位置する。
【００８２】
物体側から順に、第１レンズ群Ｇ１は、物体側に凸面を向けた負メニスカスレンズと両凸正レンズの接合レンズからなり、第２レンズ群Ｇ２は、両凹負レンズと、像側に凸面を向けた正メニスカスレンズと両凹負レンズの接合レンズとからなり、第３レンズ群Ｇ３は、両凸正レンズと、両凸正レンズと両凹負レンズの接合レンズとからなり、第４レンズ群Ｇ４は、両凸正レンズ１枚からなる。
【００８３】
非球面は、第１レンズ群Ｇ１の接合レンズの最も像側の面、第２レンズ群Ｇ２の両凹負レンズの両面、接合レンズの最も像側の面、第３レンズ群Ｇ３の両凸正レンズの両面、第４レンズ群Ｇ４の両凸正レンズの両面の８面に用いている。
【００８４】
実施例２のズームレンズは、図２に示すように、物体側から順に、正屈折力の第１レンズ群Ｇ１、開口絞りＳ、負屈折力の第２レンズ群Ｇ２、正屈折力の第３レンズ群Ｇ３、正屈折力の第４レンズ群Ｇ４から構成されている。
【００８５】
広角端から望遠端への変倍をする際の移動状態を以下に示す。
【００８６】
第１レンズ群Ｇ１は、広角端から望遠端まで物体側へ移動する。
【００８７】
第２レンズ群Ｇ２は、広角端から中間ズーム状態まで、第１レンズ群Ｇ１との間隔を広げ、第３レンズ群Ｇ３との間隔を狭めながら、物体側へ移動し、中間ズーム状態から望遠端まで、第１レンズ群Ｇ１との間隔を広げ、第３レンズ群Ｇ３との間隔を狭めながら、像側へ移動し、広角端から望遠端まで物体側に凸の軌跡を描いて移動する。望遠端では、広角端の位置より像側に位置する。
【００８８】
開口絞りＳと第３レンズ群Ｇ３は、広角端から中間ズーム状態まで、第２レンズ群Ｇ２との間隔を狭め、第４レンズ群Ｇ４との間隔を広げながら、一体に物体側へ移動し、中間ズーム状態から望遠端まで、第２レンズ群Ｇ２との間隔を狭め、第４レンズ群Ｇ４との間隔を狭めながら、一体に像側へ移動し、広角端から望遠端まで物体側に凸の軌跡を描いて移動する。望遠端では、中間焦点距離状態の位置より物体側に位置する。
【００８９】
第４レンズ群Ｇ４は、広角端から中間焦点距離状態まで、第３レンズ群Ｇ３との間隔を広げながら、像側へ移動し、中間焦点距離状態から中間ズーム状態まで、第３レンズ群Ｇ３との間隔を広げながら、物体側へ移動し、中間ズーム状態から望遠端まで、第３レンズ群Ｇ３との間隔を狭めながら、物体側へ移動し、広角端から望遠端まで像側に凸の軌跡を描いて移動する。望遠端では、広角側状態の位置より像側に位置する。
【００９０】
物体側から順に、第１レンズ群Ｇ１は、物体側に凸面を向けた負メニスカスレンズと両凸正レンズの接合レンズからなり、第２レンズ群Ｇ２は、両凹負レンズと、像側に凸面を向けた正メニスカスレンズと両凹負レンズの接合レンズとからなり、第３レンズ群Ｇ３は、両凸正レンズと、両凸正レンズと両凹負レンズの接合レンズとからなり、第４レンズ群Ｇ４は、両凸正レンズ１枚からなる。
【００９１】
非球面は、第１レンズ群Ｇ１の接合レンズの最も像側の面、第２レンズ群Ｇ２の両凹負レンズの両面、接合レンズの最も像側の面、第３レンズ群Ｇ３の両凸正レンズの両面、第４レンズ群Ｇ４の両凸正レンズの両面の８面に用いている。
【００９２】
実施例３のズームレンズは、図３に示すように、物体側から順に、正屈折力の第１レンズ群Ｇ１、開口絞りＳ、負屈折力の第２レンズ群Ｇ２、正屈折力の第３レンズ群Ｇ３、正屈折力の第４レンズ群Ｇ４から構成されている。
【００９３】
広角端から望遠端への変倍をする際の移動状態を以下に示す。
【００９４】
第１レンズ群Ｇ１は、広角端から望遠端まで物体側へ移動する。
【００９５】
第２レンズ群Ｇ２は、広角端から中間焦点距離状態まで、第１レンズ群Ｇ１との間隔を広げ、第３レンズ群Ｇ３との間隔を狭めながら、物体側へ移動し、中間焦点距離状態から望遠端まで、第１レンズ群Ｇ１との間隔を広げ、第３レンズ群Ｇ３との間隔を狭めながら、像側へ移動し、広角端から望遠端まで物体側に凸の軌跡を描いて移動する。望遠端では、広角端の位置より像側に位置する。
【００９６】
開口絞りＳと第３レンズ群Ｇ３は、広角端から中間ズーム状態まで、第２レンズ群Ｇ２との間隔を狭め、第４レンズ群Ｇ４との間隔を広げながら、一体に物体側へ移動し、中間ズーム状態から望遠端まで、第２レンズ群Ｇ２との間隔を狭め、第４レンズ群Ｇ４との間隔を狭めながら、一体に像側へ移動し、広角端から望遠端まで物体側に凸の軌跡を描いて移動する。望遠端では、中間焦点距離状態の位置より物体側に位置する。
【００９７】
第４レンズ群Ｇ４は、広角端から中間ズーム状態まで、第３レンズ群Ｇ３との間隔を広げながら、像側へ移動し、中間ズーム状態から望遠端まで、第３レンズ群Ｇ３との間隔を狭めながら、物体側へ移動し、広角端から望遠端まで像側に凸の軌跡を描いて移動する。望遠端では、広角側状態の位置より像側に位置し、中間焦点距離状態の位置より物体側に位置する。
【００９８】
物体側から順に、第１レンズ群Ｇ１は、物体側に凸面を向けた負メニスカスレンズと両凸正レンズの接合レンズからなり、第２レンズ群Ｇ２は、両凹負レンズと、像側に凸面を向けた正メニスカスレンズと両凹負レンズの接合レンズとからなり、第３レンズ群Ｇ３は、両凸正レンズと、両凸正レンズと両凹負レンズの接合レンズとからなり、第４レンズ群Ｇ４は、両凸正レンズ１枚からなる。
【００９９】
非球面は、第１レンズ群Ｇ１の接合レンズの最も像側の面、第２レンズ群Ｇ２の両凹負レンズの両面、接合レンズの最も像側の面、第３レンズ群Ｇ３の両凸正レンズの両面、第４レンズ群Ｇ４の両凸正レンズの両面の８面に用いている。
【０１００】
それぞれ実施の形態のズームレンズを用い、電気的に収差（例えば歪曲収差）を補正するようにしてもよい。本実施例のズームレンズは、矩形の光電変換面上に、広角端付近では樽型の歪曲収差が発生する。一方、中間焦点距離状態付近や望遠端では歪曲収差の発生が変化する。
【０１０１】
歪曲収差を電気的に補正するために、有効撮像領域は、広角端では樽型形状とし、中間焦点距離状態や望遠端では矩形の形状となるようにする等、有効撮像領域を変化させてもよい。
【０１０２】
本実施例にてこのような機能を撮影装置に持たせる場合、あらかじめ設定した有効撮像領域を画像処理により画像変換し、歪みを低減させた矩形の画像情報に変換するとよい。
【０１０３】
また、広角端での最大像高ＩＨｗは、中間焦点距離状態の最大像高ＩＨｓや望遠端での最大像高ＩＨｔよりも小さくするとよい。例えば、広角端にて光電変換面の短辺方向の長さが有効撮像領域の短辺方向の長さと同じになるようにし、画像処理後の歪曲収差が−３％程残るように有効撮像領域を定めるようにしてもよい。もちろん、それよりも小さい樽型の領域を有効撮像領域として矩形に変換した画像を記録・再生するようにしてもよい。
【０１０４】
以下、各実施例におけるレンズの数値データを示す。
【０１０５】
各実施例におけるレンズの数値データにおいては、ｒは各レンズ面の曲率半径、ｄは各レンズの肉厚または間隔、ｎｄは各レンズのｄ線における屈折率、νｄは各レンズのｄ線におけるアッベ数、Kは円錐係数、A4、A6、A8、A10は非球面係数、E±Nは×１０±Nをそれぞれ示している。
【０１０６】
また、各非球面形状は、各実施例における各非球面係数を用いて、以下の式で表される。
【０１０７】
Ｚ＝（Ｙ2／ｒ）／[１＋｛１−（１＋Ｋ）・（Ｙ／ｒ）2｝1/2]
＋A4×Ｙ4＋A6×Ｙ6＋A8×Ｙ8＋A10×Ｙ10
ただし、光軸方向の座標をＺ、光軸と垂直な方向の座標をＹとする。
【０１０８】
数値実施例１
単位     ｍｍ
面データ
面番号               ｒ         ｄ        ｎｄ      νｄ
1               24.303      0.60     1.94595    17.98
2               20.214      3.76     1.59201    67.02
3（非球面）    -81.890      可変
4（非球面）   -126.121      0.80     1.85135    40.10
5（非球面）      7.298      2.55
6              -47.821      1.82     1.94595    17.98
7              -12.243      0.70     1.77377    47.17
8（非球面）   1048.205      可変
9（絞り）         ∞        0.00
10（非球面）      4.740      2.61     1.59201    67.02
11（非球面）    -24.526      0.10
12                8.362      1.56     1.49700    81.54
13              -11.267      0.42     1.62004    36.26
14                3.425      可変
15（非球面）     23.304      2.94     1.58913    61.14
16（非球面）    -14.592      可変
17                 ∞        0.40     1.54771    62.84
18                 ∞        0.50
19                 ∞        0.50     1.51633    64.14
20                 ∞        0.37
像面                ∞
非球面データ
第３面
K=0.000,A4=9.98895E-06,A6=-1.42502E-08,A8=1.40262E-10,A10=-7.79860E-13
第４面
K=0.000,A4=1.42993E-05,A6=-3.36962E-06,A8=6.97681E-08,A10=-5.69362E-10
第５面
K=0.028,A4=2.04098E-04,A6=-1.50503E-06,A8=1.91466E-07,A10=-1.44606E-08
第８面
K=0.104,A4=-3.08161E-04,A6=-3.71109E-06,A8=1.80523E-07
第１０面
K=0.000,A4=-4.81405E-04,A6=6.75956E-06,A8=-4.24430E-07,A10=3.05963E-07
第１１面
K=0.000,A4=1.00467E-03,A6=4.70567E-05,A8=-1.92213E-06,A10=8.59706E-07
第１５面
K=0.163,A4=1.85121E-05,A6=4.98422E-06,A8=-8.22837E-07,A10=1.70212E-08
第１６面
K=0.027,A4=3.00013E-05,A6=1.96174E-06,A8=-7.90283E-07,A10=1.71060E-08
各種データ
ズーム比         9.61
広角    広角側 中間焦点距離 中間ズーム  望遠
焦点距離         5.12      8.91     15.95     28.33     49.23
Ｆナンバー        3.30      4.46      5.52      6.25      6.01
画角          79.85     47.66     27.17     15.71      9.05
像高           3.88      3.88      3.88      3.88      3.88
レンズ全長       41.86     46.88     53.51     58.81     58.81
ＢＦ           6.35      5.08      4.38      4.45      4.88
d3            0.30      3.39      8.76     14.00     18.86
d8           15.57     11.93      8.95      5.85      1.47
d14           1.79      8.63     13.56     16.65     15.73
d16           4.84      3.63      2.97      3.03      3.39
ズームレンズ群データ
群    始面    焦点距離
1       1      35.22
2       4      -7.67
3      10      11.44
4      15      15.68
【０１０９】
数値実施例２
単位     ｍｍ
面データ
面番号               ｒ         ｄ        ｎｄ      νｄ
1               24.303      0.60     1.94595    17.98
2               20.237      3.76     1.59201    67.02
3（非球面）    -82.436      可変
4（非球面）   -219.740      0.80     1.85135    40.10
5（非球面）      7.141      2.53
6              -47.821      1.82     1.94595    17.98
7              -12.245      0.70     1.77377    47.17
8（非球面）    919.839      可変
9（絞り）         ∞        0.00
10（非球面）      4.768      2.63     1.59201    67.02
11（非球面）    -24.563      0.10
12                8.337      1.59     1.49700    81.54
13              -10.981      0.42     1.62004    36.26
14                3.430      可変
15（非球面）     21.480      2.76     1.58313    59.38
16（非球面）    -15.083      可変
17                 ∞        0.40     1.54771    62.84
18                 ∞        0.50
19                 ∞        0.50     1.51633    64.14
20                 ∞        0.37
像面                ∞
非球面データ
第３面
K=0.000,A4=9.88614E-06,A6=-1.28397E-08,A8=1.38079E-10,A10=-8.10609E-13
第４面
K=0.000,A4=-1.03099E-04,A6=-1.36657E-07,A8=2.92640E-08,A10=-3.65204E-10
第５面
K=0.023,A4=7.26110E-05,A6=-2.75668E-06,A8=3.09987E-07,A10=-1.63736E-08
第８面
K=0.063,A4=-3.13000E-04,A6=-2.92989E-06,A8=1.78401E-07
第１０面
K=0.000,A4=-4.61273E-04,A6=5.42473E-06,A8=-4.53290E-07,A10=2.94654E-07
第１１面
K=0.000,A4=1.00343E-03,A6=4.28360E-05,A8=-1.89374E-06,A10=8.23287E-07
第１５面
K=0.149,A4=2.11614E-05,A6=2.04085E-06,A8=-5.91451E-07,A10=1.16248E-08
第１６面
K=0.029,A4=5.23199E-05,A6=-5.01045E-06,A8=-3.86855E-07,A10=9.37526E-09
各種データ
ズーム比         9.59
広角    広角側 中間焦点距離 中間ズーム  望遠
焦点距離         5.12      8.90     15.88     27.70     49.14
Ｆナンバー        3.30      4.46      5.52      6.23      6.00
画角          79.84     47.73     27.30     16.08      9.08
像高           3.88      3.88      3.88      3.88      3.88
レンズ全長       41.69     46.74     53.41     58.62     58.71
ＢＦ           6.40      5.18      4.48      4.53      4.94
d3            0.30      3.40      8.75     13.81     18.86
d8           15.57     11.92      8.99      5.99      1.48
d14           1.72      8.54     13.49     16.59     15.72
d16           4.89      3.73      3.06      3.11      3.45
ズームレンズ群データ
群    始面    焦点距離
1       1      35.25
2       4      -7.69
3      10      11.45
4      15      15.63
【０１１０】
数値実施例３
単位     ｍｍ
面データ
面番号               ｒ         ｄ        ｎｄ      νｄ
1               23.990      0.60     1.94595    17.98
2               20.019      3.61     1.59201    67.02
3（非球面）    -81.323      可変
4（非球面）   -120.343      0.80     1.85135    40.10
5（非球面）      7.138      2.77
6              -48.976      1.72     1.94595    17.98
7              -12.251      0.70     1.77377    47.17
8（非球面）   1310.386      可変
9（絞り）         ∞        0.00
10（非球面）      4.648      2.44     1.59201    67.02
11（非球面）    -25.249      0.10
12                8.391      1.69     1.49700    81.54
13               -9.075      0.41     1.62004    36.26
14                3.396      可変
15（非球面）     19.261      2.73     1.58313    59.38
16（非球面）    -15.256      可変
17                 ∞        0.40     1.54771    62.84
18                 ∞        0.50
19                 ∞        0.50     1.51633    64.14
20                 ∞        0.37
像面                ∞
非球面データ
第３面
K=0.000,A4=1.03825E-05,A6=-1.09686E-08,A8=1.03239E-10,A10=-7.05480E-13
第４面
K=0.000,A4=2.53758E-05,A6=-2.04119E-06,A8=-5.21683E-09,A10=1.10039E-09,A12=-1.40661E-11
第５面
K=0.000,A4=1.79565E-04,A6=5.92840E-06,A8=-2.40236E-07,A10=7.83407E-10,A12=-2.27842E-10
第８面
K=0.000,A4=-2.85375E-04,A6=-6.34205E-06,A8=3.63832E-07,A10=-6.27532E-09,A12=7.03393E-11
第１０面
K=0.000,A4=-3.49019E-04,A6=1.94245E-05,A8=2.17727E-06,A10=-1.06653E-07,A12=4.92651E-08
第１１面
K=0.000,A4=1.29940E-03,A6=5.92894E-05,A8=4.07093E-06,A10=-1.60185E-07,A12=1.46040E-07
第１５面
K=2.172,A4=7.72343E-05,A6=-1.12668E-06,A8=-4.04629E-07,A10=7.67814E-09
第１６面
K=-0.705,A4=1.42731E-04,A6=-8.06584E-06,A8=-3.02058E-07,A10=8.22055E-09
各種データ
ズーム比         9.63
広角    広角側 中間焦点距離 中間ズーム  望遠
焦点距離         5.06      8.86     15.96     28.69     48.70
Ｆナンバー        3.28      4.47      5.52      6.12      6.00
画角          79.89     47.38     26.97     15.28      9.05
像高           3.83      3.83      3.83      3.83      3.83
レンズ全長       41.21     46.22     52.48     57.79     57.97
ＢＦ           5.92      4.56      4.35      4.15      4.49
d3            0.30      3.35      8.46     14.29     18.62
d8           15.14     11.64      8.26      5.48      1.38
d14           2.27      9.10     13.84     16.29     15.91
d16           4.42      3.12      2.93      2.74      3.00
ズームレンズ群データ
群    始面    焦点距離
1       1      34.73
2       4      -7.53
3      10      11.17
4      15      15.04
【０１１１】
以上の実施例１〜３の無限遠物点合焦時の収差図をそれぞれ図４〜図９に示す。これらの収差図において、（ａ）は広角端、（ｂ）は広角側状態、（Ｃ）は中間焦点距離状態、（ｄ）は中間ズーム状態、（ｅ）は望遠端における球面収差、非点収差、歪曲収差、倍率色収差を示す。
【０１１２】
次に、上記各実施例における条件値及び条件式（１）〜（８）の値を示す。
【０１１３】
条件値       実施例１    実施例２    実施例３
Ｆｎｏ（ｗ）  3.30        3.30        3.28
Ｆｎｏ（ｔ）  6.01        6.00        6.00
Ｆｎｏ（ｍ）  6.25        6.23        6.12
ｆｗ          5.12        5.12        5.06
ｆｔ         49.23       49.14       48.70
ｆｍ         28.33       27.70       28.69
ｆ１         35.22       35.25       34.73
ｆ２         -7.67       -7.69       -7.53
ｆ３         11.44       11.45       11.17
ｆ４         15.68       15.63       15.04
Ｌｔ         59.14       59.04       58.30
Ｔ１ｗ       42.19       42.01       41.54
Ｔ１ｔ       59.14       59.04       58.30
Ｔ１ｍ       59.14       58.95       58.12
Ｔ３ｗ       14.26       14.11       14.07
Ｔ３ｔ       26.76       26.67       26.28
Ｔ３ｍ       29.06       28.94       28.14
【０１１４】
条件式       実施例１    実施例２    実施例３
（１）        0.19        0.19        0.19
（２）        1.04        1.04        1.02
（３）        1.20        1.20        1.20
（４）        2.25        2.25        2.31
（５）        1.49        1.49        1.48
（６）        1.00        0.99        0.99
（７）        1.18        1.18        1.15
（８）        0.58        0.56        0.59
【０１１５】
各実施例にて、以下の構成としてもよい。
【０１１６】
本実施例のズームレンズは矩形の光電変換面上に広角端では樽型の歪曲収差が発生する。一方、中間焦点距離状態付近や望遠端では歪曲収差の発生が抑えられる。歪曲収差を電気的に補正するために、有効撮像領域は、広角端では樽型形状とし、中間焦点距離状態や望遠端では矩形の形状となるようにすると良い。そして、あらかじめ設定した有効撮像領域を画像処理により画像変換し、歪みを低減させた矩形の画像情報に変換する。広角端での像高Ｉmwは、中間焦点距離状態の像高Ｉmsや望遠端での像高Ｉmtよりも小さくなるようにしている。
【０１１７】
例えば、図１０に示すように、光軸と撮像面との交点を中心として有効撮像面の長辺に内接する半径Ｒの円周上（像高）での倍率を固定し、この円周を補正の基準とする。そして、それ以外の任意の半径ｒ（ω）の円周上（像高）の各点を略放射方向に移動させて、半径ｒ'（ω）となるように同心円状に移動させることで補正する。例えば、図３４において、半径Ｒの円の内側に位置する任意の半径ｒ1（ω）の円周上の点Ｐ1は、円の中心に向けて補正すべき半径ｒ1'（ω）円周上の点Ｐ2に移動させる。また、半径Ｒの円の外側に位置する任意の半径ｒ2（ω）円周上の点Ｑ1は、円の中心から離れる方向に向けて補正すべき半径ｒ2'（ω）円周上の点Ｑ2に移動させる。ここで、ｒ'（ω）は次のように表わすことができる。
ｒ'（ω）＝αｆｔａｎω          （０≦α≦１）
ただし、ωは被写体半画角、ｆは結像光学系（本発明では、ズームレンズ）の焦点距離である。
【０１１８】
ここで、前記半径ｒの円上（像高）に対応する理想像高をＹとすると、
α＝Ｒ／Ｙ＝Ｒ／ｆｔａｎω
となる。
【０１１９】
光学系は、理想的には、光軸に対して回転対称であり、すなわち歪曲収差も光軸に対して回転対称に発生する。したがって、上述のように、光学的に発生した歪曲収差を電気的に補正する場合には、再現画像上で光軸と撮像面との交点を中心とした有効撮像面の長辺に内接する半径Ｒの円の円周上（像高）の倍率を固定して、それ以外の半径ｒ（ω）の円周上（像高）の各点を略放射方向に移動させて、半径ｒ'（ω）となるように同心円状に移動させることで補正することができれば、データ量や演算量の点で有利と考えられる。
【０１２０】
ところが、光学像は、電子撮像素子で撮像された時点で（サンプリングのため）連続量ではなくなる。したがって、厳密には光学像上に描かれる上記半径Ｒの円も、電子撮像素子上の画素が放射状に配列されていない限り正確な円ではなくなる。つまり、離散的座標点毎に表わされる画像データの形状補正においては、上記倍率を固定できる円は存在しない。そこで、各画素（Ｘi，Ｙj）毎に、移動先の座標（Ｘ'i，Ｙ'j）を決める方法を用いるのがよい。なお、座標（Ｘ'i，Ｙ'j）に（Ｘi，Ｙj）の２点以上が移動してきた場合には、各画素が有する値の平均値をとる。また、移動してくる点がない場合には、周囲のいくつかの画素の座標（Ｘ'i，Ｙ'j）の値を用いて補間すればよい。
【０１２１】
このような方法は、特にズームレンズが有する電子撮像装置において光学系や電子撮像素子の製造誤差等のために光軸に対して歪みが著しく、前記光学像上に描かれる上記半径Ｒの円が非対称になった場合の補正に有効である。また、撮像素子あるいは各種出力装置において信号を画像に再現する際に幾何学的歪み等が発生する場合等の補正に有効である。
【０１２２】
本発明の電子撮像装置では、補正量ｒ'（ω）−ｒ（ω）を計算するために、ｒ（ω）すなわち半画角と像高との関係、あるいは、実像高ｒと理想像高ｒ'／αとの関係が、電子撮像装置に内蔵された記録媒体に記録されている構成としてもよい。
【０１２３】
なお、歪曲補正後の画像が短辺方向の両端において光量が極端に不足することのないようにするには、前記半径Ｒが、次の条件式を満足するのがよい。
０≦Ｒ≦０．６Ｌs
ただし、Ｌsは有効撮像面の短辺の長さである。
【０１２４】
好ましくは、前記半径Ｒは、次の条件式を満足するのがよい。
０．３Ｌs≦Ｒ≦０．６Ｌs
さらには、前記半径Ｒは、略有効撮像面の短辺方向の内接円の半径に一致させるのが最も有利である。なお、半径Ｒ＝０の近傍、すなわち、軸上近傍において倍率を固定した補正の場合は、実質画素数の面で若干の不利があるが、広角化しても小型化にするための効果は確保できる。
【０１２５】
なお、補正が必要な焦点距離区間については、いくつかの焦点ゾーンに分割する。そして、該分割された焦点ゾーン内の望遠端近傍で略
ｒ'（ω）＝αｆｔａｎω
を満足する補正結果が得られる場合と同じ補正量で補正してもよい。ただし、その場合、分割された焦点ゾーン内の広角端において樽型歪曲量がある程度残存してしまう。また、分割ゾーン数を増加させてしまうと、補正のために必要な固有データを記録媒体に余計に保有する必要が生じあまり好ましくない。そこで、分割された焦点ゾーン内の各焦点距離に関連した１つ又は数個の係数を予め算出しておく。この係数は、シミュレーションや実機による測定に基づいて決定しておけばよい。そして、前記分割されたゾーン内の望遠鏡近傍で略
ｒ'（ω）＝αｆｔａｎω
を満足する補正結果が得られる場合の補正量を算出し、この補正量に対して焦点距離毎に前記係数を一律に掛けて最終的な補正量にしてもよい。
【０１２６】
ところで、無限遠物体を結像させて得られた像に歪曲がない場合は、
ｆ＝ｙ／ｔａｎω
が成立する。ただし、ｙは像点の光軸からの高さ（像高）、ｆは結像系（本発明ではズームレンズ）の焦点距離、ωは撮像面上の中心からｙの位置に結ぶ像点に対応する物点方向の光軸に対する角度（被写体半画角）である。
【０１２７】
結像系に樽型の歪曲収差がある場合は、
ｆ＞ｙ／ｔａｎω
となる。つまり、結像系の焦点距離ｆと、像高ｙとを一定とすると、ωの値は大きくなる。
【０１２８】
また、ズームレンズにより撮影された画像の電気信号を、画像処理により倍率色収差による色のずれを補正した画像信号に変換する画像変換部を有することが好ましい。ズームレンズの倍率色収差を電気的に補正することで、より良好な画像を得ることができるようになる。
【０１２９】
一般に、電子スチルカメラにおいては被写体の像を、第１原色、第２原色、第３原色の３原色の像に分解して、それぞれの出力信号を演算により重ね合わせることによりカラー画像を再現するようにしている。ズームレンズに倍率色収差がある場合、第１原色の光による像を基準にして考えると、第２原色と第３原色の光による像が結像される位置は第１原色の像が結像される位置からずれることになる。電子的に画像の倍率色収差を補正するためには、第１原色に対する第２原色、第３原色の光の結像位置のずれの量をズームレンズの収差情報に基づいて撮像素子の各画素について予め求めておく。そして、撮影画像の各画素ごとに、第１原色とのズレ量だけ補正するよう座標変換を行ってやればよい。
【０１３０】
例えば、赤（Ｒ）、緑（Ｇ）、青（Ｂ）の３原色の出力信号からなる画像について説明すれば、Ｇに対するＲとＢの結像位置ずれを各画素について求めておき、Ｇとのずれがなくなるように撮影画像の座標変換を行い、その後にＲとＢの信号を出力してやればよい。
【０１３１】
倍率色収差はズーム、フォーカス、絞り値によって変化するが、各レンズポジション（ズーム、フォーカス、絞り値）ごとに、この第１原色からの第２原色及び第３原色のずれ量を補正データとして記憶保持装置に記憶させておくとよい。ズームポジションに応じて、この補正データを参照することで、第１原色信号に対する第２及び第３原色のずれを補正した第２及び第３原色信号とを出力することができる。
【０１３２】
またゴースト、フレア等の不要光をカットするために、明るさ絞り以外にフレア絞りを配置してもかまわない。
【０１３３】
第１レンズ群の物体側、第１、２レンズ群間、第２、３レンズ群間、第３、４レンズ群間、第４、５レンズ群間、最も像面側の群から像面間のいずれの場所に配置しても良い。枠部材によりフレア光線をカットするように構成しても良いし、別の部材を構成しても良い。また光学系に直接印刷しても塗装してもシールなどを接着してもかまわない。またその形状は円形、楕円形、矩形、多角形、関数曲線で囲まれる範囲等、いかなる形状でもかまわない。また有害光束をカットするだけでなく画面周辺のコマフレア等の光束をカットしても良い。
【０１３４】
また、各レンズには反射防止コートを行い、ゴースト、フレアを軽減してもかまわない。マルチコートであれば効果的にゴースト、フレアを軽減できるので望ましい。また赤外カットコートをレンズ面、カバーガラス等に行ってもかまわない。
【０１３５】
また、ピント調節を行うためのフォーカシングは最も像面側の群が望ましい。最も像面側の群でフォーカシングを行うとレンズ重量が軽量なためモータにかかる負荷が少ない。さらに、フォーカシング時に全長が変化しないし、鏡枠内部に駆動モータを配置できるため、鏡枠のコンパクト化に有利である。
【０１３６】
上述のように最も像面側の群のフォーカシングが望ましいが、第１、２、３レンズ群でフォーカシングを行っても良い。また、複数のレンズ群を移動してフォーカシングを行っても良い。複数のレンズ群を動かすことで、フォーカシングのよる性能劣化をより効率的に小さくできる。また、レンズ系全体を繰り出してフォーカスを行っても良いし、一部のレンズを繰り出し、もしくは繰り込みしてフォーカスしても良い。
【０１３７】
また、画像周辺部の明るさのかげり（シェーディング）をＣＣＤのマイクロレンズをシフトすることにより軽減しても良い。例えば、各像高における光線の入射角に合わせてＣＣＤのマイクロレンズの設計を変えても良い。また、画像処理により画像周辺部の低下量を補正しても良い。
【０１３８】
ゴースト・フレアの発生を防止するためにレンズの空気接触面に反射防止コートを施すことは一般的に行われている。一方、接合レンズの接合面では接着材の屈折率が空気の屈折率よりも十分高い。そのためもともと単層コート並み、あるいはそれ以下の反射率となっていることが多く、あえてコートを施すことは少ない。しかしながら、接合面にも積極的に反射防止コートを施せばさらにゴースト・フレアを軽減でき、なお良好な画像を得ることができるようになる。
【０１３９】
特に、最近では高屈折率硝材が普及し収差補正効果が高いためカメラ光学系に多用されるようになってきているが、高屈折率硝材を接合レンズとして用いた場合、接合面での反射も無視できなくなってくる。そのような場合、接合面に反射防止コートを施しておくことは特に効果的である。
【０１４０】
接合面コートの効果的な使用法に関しては、特開平2-27301号、特開2001-324676号、特開2005-92115号、USP7116482等に開示されている。これらの文献では特に正先行ズームレンズの第１レンズ群内の接合レンズ面コートについて述べられており、本発明の正パワーの第１レンズ群内の接合レンズ面についてもこれら文献に開示されているごとく実施すればよい。
【０１４１】
使用するコート材としては、基盤となるレンズの屈折率と接着材の屈折率に応じて、比較的高屈折率なＴａ2Ｏ5、ＴｉＯ2、Ｎｂ2Ｏ5、ＺｒＯ2、ＨｆＯ2、ＣｅＯ2、ＳｎＯ2、Ｉｎ2Ｏ3、ＺｎＯ、Ｙ2Ｏ3などのコート材、比較的低屈折率なＭｇＦ2、ＳｉＯ2、Ａｌ2Ｏ3などのコート材、などを適宜選択し、位相条件を満たすような膜厚に設定すれば良い。当然のことながら、レンズの空気接触面へのコーティング同様、接合面コートをマルチコートとしても良い。２層あるいはそれ以上の膜数のコート材や膜厚を適宜組み合わせることで、更なる反射率の低減や、反射率の分光特性・角度特性等のコントロールなどを行うことが可能となる。また第１レンズ群以外のレンズ接合面についても、同様の思想に基づいて接合面コートを行うことが効果的なのは言うまでもない。
【０１４２】
図１１〜図１３は、以上のようなズームレンズを撮影光学系４１に組み込んだ本発明によるデジタルカメラの構成の概念図を示す。図１１はデジタルカメラ４０の外観を示す前方斜視図、図１２は同後方正面図、図１３はデジタルカメラ４０の構成を示す模式的な断面図である。ただし、図１１と図１３においては、撮影光学系４１の非沈胴時を示している。デジタルカメラ４０は、この例の場合、撮影用光路４２上に位置する撮影光学系４１、ファインダー用光路４４上に位置するファインダー光学系４３、シャッターボタン４５、フラッシュ４６、液晶表示モニター４７、焦点距離変更ボタン６１、設定変更スイッチ６２等を含み、撮影光学系４１の沈胴時には、カバー６０をスライドすることにより、撮影光学系４１とファインダー光学系４３とフラッシュ４６はそのカバー６０で覆われる。そして、カバー６０を開いてカメラ４０を撮影状態に設定すると、撮影光学系４１は図１１の非沈胴状態になり、カメラ４０の上部に配置されたシャッターボタン４５を押圧すると、それに連動して撮影光学系４１、例えば実施例１のズームレンズを通して撮影が行われる。撮影光学系４１によって形成された物体像が、波長域制限コートを施したローパスフィルターＦとカバーガラスＣを介してＣＣＤ４９の撮像面（光電変換面）上に形成される。このＣＣＤ４９で受光された物体像は、処理手段５１を介し、電子画像としてカメラ背面に設けられた液晶表示モニター４７に表示される。また、この処理手段５１には記録手段５２が接続され、撮影された電子画像を記録することもできる、なお、この記録手段５２は処理手段５１と別体に設けてもよいし、フロッピーディスクやメモリーカード、ＭＯ等により電子的に記録書込を行うように構成してもよい。また、ＣＣＤ４９に代わって銀塩フィルムを配置した銀塩カメラとして構成してもよい。
【０１４３】
さらに、ファインダー用光路４４上にはファインダー用対物光学系５３が配置してある。ファインダー用対物光学系５３は、複数のレンズ群（図の場合は３群）と正立プリズム５５ａ、５５ｂ、５５ｃからなる正立プリズム系５５とから構成され、撮影光学系４１のズームレンズに連動して焦点距離が変化するズーム光学系からなり、このファインダー用対物光学系５３によって形成された物体像は、像正立部材である正立プリズム系５５の視野枠５７上に形成される。この正立プリズム系５５の後方には、正立正像にされた像を観察者眼球Ｅに導く接眼光学系５９が配置されている。なお、接眼光学系５９の射出側にカバー部材５０が配置されている。
【０１４４】
図１４は、上記デジタルカメラ４０の主要部の内部回路の構成ブロック図である。なお、以下の説明では、上記の処理手段５１は例えばＣＤＳ／ＡＤＣ部２４、一次記憶メモリ１７、画像処理部１８等からなり、記憶手段５２は例えば記憶媒体部１９等からなる。
【０１４５】
図１４に示すように、デジタルカメラ４０は、操作部１２と、この操作部１２に接続された制御部１３と、この制御部１３の制御信号出力ポートにバス１４及び１５を介して接続された撮像駆動回路１６並びに一次記憶メモリ１７、画像処理部１８、記憶媒体部１９、表示部２０、及び設定情報記憶メモリ部２１を備えている。
【０１４６】
上記の一次記憶メモリ１７、画像処理部１８、記憶媒体部１９、表示部２０、及び設定情報記憶メモリ部２１はバス２２を介して相互にデータの入力又は出力が可能なように構成され、また、撮像駆動回路１６には、ＣＣＤ４９とＣＤＳ／ＡＤＣ部２４が接続されている。
【０１４７】
操作部１２は各種の入力ボタンやスイッチを備え、これらの入力ボタンやスイッチを介して外部（カメラ使用者）から入力されるイベント情報を制御部に通知する回路である。
制御部１３は、例えばＣＰＵ等からなる中央演算処理装置であり、不図示のプログラムメモリを内蔵し、そのプログラムメモリに格納されているプログラムにしたがって、操作部１２を介してカメラ使用者から入力される指示命令を受けてデジタルカメラ４０全体を制御する回路である。
【０１４８】
ＣＣＤ４９は、本発明による撮影光学系４１を介して形成された物体像を受光する。ＣＣＤ４９は、撮影駆動回路１６により駆動制御され、その物体像の各画素ごとの光量を電気信号に変換してＣＤＳ／ＡＤＣ部２４に出力する撮像素子である。
【０１４９】
ＣＤＳ／ＡＤＣ部２４は、ＣＣＤ４９から入力する電気信号を増幅しかつアナログ／デジタル変換を行って、この増幅とデジタル変換を行っただけの映像生データ（ベイヤーデータ、以下ＲＡＷデータという。）を一時メモリ１７に出力する回路である。
【０１５０】
一次記憶メモリ１７は、例えばＳＤＲＡＭ等からなるバッファであり、ＣＤＳ／ＡＤＣ部２４から出力される上記ＲＡＷデータを一時的に記憶するメモリ装置である。画像処理部１８は、一次記憶メモリ１７に記憶されたＲＡＷデータ又は記憶媒体部１９に記憶されているＲＡＷデータを読み出して、制御部１３から指定された画質パラメータに基づいて歪曲収差補正を含む各種画像処理を電気的に行う回路である。
【０１５１】
記憶媒体部１９は、例えばフラッシュメモリ等からなるカード型又はスティック型の記録媒体を着脱自在に装着して、それらカード型又はスティック型のフラッシュメモリに、一次記憶メモリ１７から転送されるＲＡＷデータや画像処理部１８で画像処理された画像データを記録して保持する装置の制御回路である。
【０１５２】
表示部２０は、液晶表示モニター４７を備え、その液晶表示モニター４７に画像や操作メニュー等を表示する回路である。設定情報記憶メモリ部２１には、予め各種の画質パラメータが格納されているＲＯＭ部と、そのＲＯＭ部から読み出された画質パラメータの中から操作部１２の入力操作によって選択された画質パラメータを記憶するＲＡＭ部が備えられている。設定情報記憶メモリ部２１は、それらのメモリへの入出力を制御する回路である。
【０１５３】
このように構成されたデジタルカメラ４０は、撮影光学系４１が、本発明により、十分な広角域を有し、コンパクトな構成としながら、高変倍で全変倍域で結像性能が極めて安定的であるので、高性能・小型化・広角化が実現できる。そして、広角側、望遠側での速い合焦動作が可能となる。
【０１５４】
本発明は、以上のような一般的な被写体を撮影する所謂コンパクトデジタルカメラだけではなく、広い画角が必要な監視カメラや、レンズ交換式のカメラに適用してもよい。
【図面の簡単な説明】
【０１５５】
【図１】本発明のズームレンズの実施例１の無限遠物点合焦時の広角端（ａ）、広角側状態（ｂ）、中間焦点距離状態（ｃ）、中間ズーム状態（ｄ）、望遠端（ｅ）でのレンズ断面図である。
【図２】本発明のズームレンズの実施例２の図１と同様の図である。
【図３】本発明のズームレンズの実施例３の図１と同様の図である。
【図４】実施例１の無限遠物点合焦時の収差図である。
【図５】実施例１の無限遠物点合焦時の収差図である。
【図６】実施例２の無限遠物点合焦時の収差図である。
【図７】実施例２の無限遠物点合焦時の収差図である。
【図８】実施例３の無限遠物点合焦時の収差図である。
【図９】実施例３の無限遠物点合焦時の収差図である。
【図１０】歪曲収差の補正を示す図である。
【図１１】本発明によるデジタルカメラの外観を示す前方斜視図である。
【図１２】図１１のデジタルカメラの後方斜視図である。
【図１３】図１１のデジタルカメラの断面図である。
【図１４】図１１のデジタルカメラの主要部の内部回路の構成ブロック図である。
【符号の説明】
【０１５６】
Ｇ１…第１レンズ群
Ｇ２…第２レンズ群
Ｇ３…第３レンズ群
Ｇ４…第４レンズ群
Ｓ…開口絞り（明るさ絞り）
Ｆ…光学的ローパスフィルター
Ｃ…カバーガラス
Ｉ…像面
Ｅ…観察者眼球
１２…操作部
１３…制御部
１４、１５…バス
１６…撮像駆動回路
１７…一次記憶メモリ
１８…画像処理部
１９…記憶媒体部
２０…表示部
２１…設定情報記憶メモリ部
２２…バス
２４…ＣＤＳ／ＡＤＣ部
４０…デジタルカメラ
４１…撮影光学系
４２…撮影用光路
４３…ファインダー光学系
４４…ファインダー用光路
４５…シャッターボタン
４６…フラッシュ
４７…液晶表示モニター
４９…ＣＣＤ
５０…カバー部材
５１…処理手段
５２…記録手段
５３…ファインダー用対物光学系
５５…正立プリズム系
５５ａ、５５ｂ、５５ｃ、…正立プリズム
５７…視野枠
５９…接眼光学系
６０…カバー
６１…焦点距離変更ボタン
６２…設定変更スイッチ
【図１】
2009163102.tif 000003
【図２】
2009163102.tif 000004
【図３】
2009163102.tif 000005
【図４】
2009163102.tif 000006
【図５】
2009163102.tif 000007
【図６】
2009163102.tif 000008
【図７】
2009163102.tif 000009
【図８】
2009163102.tif 000010
【図９】
2009163102.tif 000011
【図１０】
2009163102.tif 000012
【図１１】
2009163102.tif 000013
【図１２】
2009163102.tif 000014
【図１３】
2009163102.tif 000015
【図１４】
2009163102.tif 000016